(57)【要約】【課題】携行性および美感を損なうことなく、前面に液晶表示部を有した携帯機器を所定の起立角度に保持することができるようにする。【解決手段】前面に液晶表示部２を有した携帯機器において、所定角度回動した位置で携帯機器本体を所定の起立角度に保持する支持具２４を前記本体の背面側に取り付け、その支持具を収納可能な凹部２３を前記本体に設けた。【選択図】図７
2005167949.tif 000002
【特許請求の範囲】
【請求項１】
所定角度回動した位置で携帯機器本体を所定の起立角度に保持する支持具を前記本体の背面側に取り付け、その支持具を収納可能な凹部を前記本体に設けた、前面に液晶表示部を有した携帯機器。
【請求項２】
前記凹部は前記本体の背面側にその外周に沿って略Ｕ字形に設けられ、前記支持具は前記略Ｕ字形の凹部に収納可能な形状をしている請求項１に記載の携帯機器。
【請求項３】
前記携帯機器の電池ケースを前記支持具として兼用した請求項１に記載の携帯機器。
【請求項４】
前記本体の支持具取り付け部分の位置に本体の起立角度を段階的に変化させる角度調整機構を備えた請求項１〜３のいずれかに記載の携帯機器。
【発明の詳細な説明】
【技術分野】
【０００１】
本発明は、本体を所定の起立角度に保持する支持具を備える、前面に液晶表示部を有した、携帯電話などの携帯機器に関する。
【背景技術】
【０００２】
近年の情報技術の発達により、テレビ放送の受信が可能な携帯電話や電気通信回線を通じて映像と音声を送受信することが可能な携帯電話が実用化されるに至っている。これらの携帯機器はその前面すなわち機器利用者と向かい合う面に受信映像を表示するための液晶表示部を有しており、この液晶表示部は携帯機器を机などの上に置いた場合に鉛直方向を向く面に通常設けられている。
【０００３】
したがって、機器利用者がその携帯機器の液晶表示部に表示される映像を見ようとする場合、携帯機器を手で持って見やすい起立角度に保持する必要がある。しかしながら、この方法では機器利用者は他のことができなくなり、煩わしい。
【０００４】
一方、携帯機器を所定の起立角度に保持する目的は異なるが、携帯電話を同様に保持する手段として、種々の支持具が提案されている。
【０００５】
ところが、これらの支持具は携帯機器に外付けするものであるため、支持具の膨らみにより携帯機器の携行性が損なわれるだけでなく、その美感をも損なってしまうという問題点があった。
【０００６】
【特許文献１】特開２０００−２２４２８３号公報
【特許文献２】特開２００１−１７７６１８号公報
【特許文献３】特開２００２−９４６３４号公報
【発明の開示】
【発明が解決しようとする課題】
【０００７】
この発明が解決しようとする課題は、携行性および美感を損なうことなく、前面に液晶表示部を有した携帯機器を所定の起立角度に保持することができるようにすることである。
【課題を解決するための手段】
【０００８】
この発明は、前面に液晶表示部を有した携帯機器において、所定角度回動した位置で携帯機器本体を所定の起立角度に保持する支持具を前記本体の背面側に取り付け、その支持具を収納可能な凹部を前記本体に設けたことを特徴とする。
【０００９】
かかる前面に液晶表示部を有した携帯機器は、以下の構成を加えるとより好ましいものになる。
１）前記凹部を前記本体の背面側にその外周に沿って略Ｕ字形に設け、前記支持具は前記略Ｕ字形の凹部に収納可能な形状とする。
２）前記携帯機器の電池ケースを前記支持具として兼用する。
３）前記本体の支持具取り付け部分の位置に、本体の起立角度を段階的に変化させる角度調整機構を備える。
【発明の効果】
【００１０】
支持具を収納する凹部を携帯機器本体に設けたことから、凹部に収納された支持具が大きくはみだしたりすることがない。これにより、携行性および美感を損なうことなく、前面に液晶表示部を有した携帯機器を所定の起立角度に保持することが可能となる。また、携帯機器によるテレビ番組の視聴やテレビ電話の使用が長時間に及ぶ場合であっても、煩わしくない。
【発明を実施するための最良の形態】
【００１１】
図１（ａ）は第一形態の携帯機器の正面図、（ｂ）は側面図、（ｃ）は背面図である。前面に液晶表示部２を有したこの携帯機器は、例えば、テレビ受信機能あるいはテレビ電話機能を備える携帯電話である。
【００１２】
本体１は、その前面に液晶表示部２およびカメラ７を有している。本体１の背面側にはその外周に沿って凹部３が略Ｕ字形に設けられている。この凹部３に収納可能な形状をしている支持具４は、樹脂皮膜で覆った金属線を略Ｕ字形に折り曲げて形成されたものであり、その両端はＬ字形に曲げられ、回動軸４ａとして構成されている。図２に示すように、支持具４は、本体１の側面に開けられた穴５に回動軸４ａが差し込まれることによって本体１に回動可能に取り付けられている。本体１には支持具４の取り付け部分の位置に角度調整機構が設けられ、この機構は穴５の周囲に設けた複数の突起６によって形成されている。この突起６のいずれか２つの間に支持具４を弾力的にはめ込むことによって本体の起立角度を段階的に調整することができる。
【００１３】
図３は前記第一形態の携帯機器の使用の一例を示す図である。まず、凹部３から支持具４の一端を引き起こし、本体１の一端と支持具４の一端とが脚となるように本体１を机の上などに起立させる。つぎに、液晶画面２およびカメラ７が機器利用者と向かい合うよう本体１の位置を調整し、つづいて、本体の起立角度が最適になるように支持具４の回動角度を段階的に調整する。これにより、支持具で携帯機器を最適な起立角度に保持し、テレビ番組の視聴やテレビ電話の使用を長時間にわたってすることが可能となる。
【００１４】
携帯機器を起立させる必要がないときは、支持具４を本体側に回動させてゆき、凹部３に収納することが可能である。このとき支持具４がはみださないため、携帯機器の携行性および美感を損なうことがない。
【００１５】
図４に示すように、支持具は樹脂製の支持具１４にしてもよく、この場合、本体１に対する支持具１４の取り付けは、支持具１４の両端部の対向面に設けた筒軸１４ａを本体１の側面の穴１５にはめ込んだ構造によって行っている。また、支持具１４の回動角度を段階的に調整する機構は、図５（ｂ）に示すように、支持具１４の筒軸１４ａに設けられた突起１４ｂが、穴１５の内側に設けられた溝１６のいずれかにはまり込む機構でもよいが、これらに限定されるものではない。
【００１６】
図６（ａ）は第二形態の携帯機器の正面図、（ｂ）は側面図、（ｃ）は背面図である。この第二形態の携帯機器は、携帯機器の電池ケース２４を支持具として兼用している。電池ケース２４はその一端側がヒンジ機構で本体１に回動可能に取り付けられている。
【００１７】
この携帯機器は、例えば図７に示すように電池ケース２４を引き起こして、前記第一形態の場合と同様に起立させることができる。携帯機器を起立させる必要がないときも電池ケース２４は、前記第一形態の場合と同様に、本体側に回動させることにより凹部２３に収納することができる。
【００１８】
ここで、電池ケース２４は携帯機器に本来的に必要な部品であるから、これを支持具として兼用することにより携帯機器の外観の一体性が第一形態の場合よりも高くなっており、第一形態に比べて美感に優れる。
【００１９】
また、本体１と支持具との回動連結部を幅方向ほぼ全域に設けることができるので、回動連結部の剛性を高めることが第一形態の場合より容易である。
【００２０】
電池ケース２４は、図８に示すように、上下いずれの端部をヒンジ機構２４ａで本体１に取り付けた構造としてもよい。
【００２１】
携帯機器は携帯電話に限定されず、ＰＤＡ（携帯情報端末）などでもよい。
【００２２】
携帯機器は、図示のように本体が二つ折りタイプのものでもよいが、１本の棒状タイプのものでもよい。
【図面の簡単な説明】
【００２３】
【図１】（ａ）は第一形態の携帯機器の正面図、（ｂ）は第一形態の携帯機器の側面図、（ｃ）は第一形態の携帯機器の背面図
【図２】（ａ）は図１（ｂ）における支持具４の端部の拡大図、（ｂ）は図１（ｃ）における支持具４の端部の拡大図
【図３】前記第一形態の携帯機器の使用の一例を示す図
【図４】本発明にかかる携帯機器の支持具の一例を示す図
【図５】（ａ）は図４における支持具１４の端部の拡大図、（ｂ）は支持具の回動角度を段階的に調整する機構の一例を示す図
【図６】（ａ）は第二形態の携帯機器の正面図、（ｂ）は第二形態の携帯機器の側面図、（ｃ）は第二形態の携帯機器の背面図
【図７】前記第二形態の携帯機器の使用の一例を示す図
【図８】本発明にかかる携帯機器の一例を示す図
【符号の説明】
【００２４】
１    本体
２    液晶表示部
３    凹部
４、１４    支持具
７    カメラ
２３  凹部
２４  電池ケース
【図１】
2005167949.tif 000003
【図２】
2005167949.tif 000004
【図３】
2005167949.tif 000005
【図４】
2005167949.tif 000006
【図５】
2005167949.tif 000007
【図６】
2005167949.tif 000008
【図７】
2005167949.tif 000009
【図８】
2005167949.tif 000010